(57)【要約】  【課題】  形状記憶合金を使用したレンズ移動装置のコストを低減する。  【解決手段】  【請求項１】  欠歯歯車８には形状記憶合金線９が巻き付けられており、形状記憶合金線９の線長変化で欠歯歯車８が回動する。内歯歯車である欠歯歯車８は、外歯歯車である小歯車１８と噛みあっており、小歯車１８の回動は、切り替えレバー１９、変倍レンズ用スライドバー２１およびフォーカスレンズ用スライドバー３１で構成される変換機構でレンズの移動に変換される。形状記憶合金線９の線長の変化は、欠歯歯車８と小歯車１８の間で拡大されて、レンズに伝えられる。【選択図】  図１
2005156892.tif 000002
【特許請求の範囲】
【請求項１】
内歯歯車と、
線長の変化によって前記内歯歯車を回動させるように前記内歯歯車に巻き付けられた形状記憶合金線と、
前記内歯歯車と噛み合う外歯歯車と、
前記外歯歯車の回動をレンズの移動に変換する変換機構と、
を備えることを特徴とするレンズ移動装置。
【請求項２】
前記内歯歯車は欠歯歯車であることを特徴とする請求項１に記載のレンズ移動装置。
【請求項３】
前記変換機構は、
前記外歯歯車とともに回動するレバーと、
前記レバーに回動自在に連結され、変倍レンズとともにスライドする変倍レンズ用スライドバーと、
前記外歯歯車を挟んで前記変倍レンズ用スライドバーと反対側で前記レバーに回動自在に連結され、フォーカスレンズとともにスライドするフォーカスレンズ用スライドバーと、
を備えることを特徴とする請求項１または２に記載のレンズ移動装置。
【請求項４】
駆動側部材の回動角を被駆動側部材へ増大して伝達する回動伝達機構と、
前記回動伝達機構の前記駆動側部材に、線長の変化によって前記駆動側部材を回動させるように取り付けられた形状記憶合金線と、
前記回動伝達機構の前記被駆動側部材の回動をレンズの移動に変換する変換機構と、
を備えることを特徴とするレンズ移動装置。
【請求項５】
形状記憶合金線が線長の変化によって回動を生じさせるように取り付けられた回動機構と、
前記回動機構とともに回動するレバーと、
前記レバーに回動自在に連結され、レンズとともにスライドするスライドバーと、
を備えることを特徴とするレンズ移動装置。
【請求項６】
請求項１ないし５のいずれかに記載のレンズ移動装置を備える監視カメラ。
【発明の詳細な説明】
【技術分野】
【０００１】
本発明は、カメラに備えられるレンズ移動装置に関し、特に、形状記憶合金を備えた装置に関する。
【背景技術】
【０００２】
従来より、カメラ撮影装置に備えられるレンズ移動装置にて、駆動装置部分に形状記憶合金を使用することが提案されている。従来装置は、コイル状に成形加工された形状記憶合金とバイアススプリングで光軸方向の両側からレンズを挟む構成を有しており、コイルの伸縮によってレンズが直接動かされる（例えば、特許文献１参照）。
【特許文献１】特開平０９−１２７３９８号公報（第３頁、第１図）
【発明の開示】
【発明が解決しようとする課題】
【０００３】
しかしながら、従来のレンズ移動装置は、形状記憶合金をコイル状に成形加工することで大きな変位量を生じさせており、このような構成では、形状記憶合金の成形加工に費用がかかり、また、高価な形状記憶合金を多量に使用しなければならないので、装置自体が高価になるという問題があった。
【０００４】
本発明は、従来の問題を解決するためになされたもので、形状記憶合金を使いながらもコストを低減できるレンズ移動装置を提供することを目的とする。
【課題を解決するための手段】
【０００５】
本発明のレンズ移動装置は、内歯歯車と、線長の変化によって前記内歯歯車を回動させるように前記内歯歯車に巻き付けられた形状記憶合金線と、前記内歯歯車と噛み合う外歯歯車と、前記外歯歯車の回動をレンズの移動に変換する変換機構とを備える。
【０００６】
この構成により、内歯歯車に形状記憶合金線を巻き付けるとともに、内歯歯車と噛み合う外歯歯車の回動をレンズの移動に変換する機構を設けたので、形状記憶合金線のひずみを拡大してレンズに伝えることができ、したがって、形状記憶合金を線材のままの状態で使用でき、これにより加工コストを削減でき、また、形状記憶合金の使用量も低減でき、レンズ移動装置のコストを低減することが可能となる。
【０００７】
また、本発明のレンズ移動装置において、前記内歯歯車は欠歯歯車である。この構成により、欠歯歯車を使うことで内歯歯車の占めるスペースを小さくでき、同じスペースでもより大きな内歯歯車を備えることが可能となり、形状記憶合金線の変形をより一層拡大できる。
【０００８】
また、本発明のレンズ移動装置において、前記変換機構は、前記外歯歯車とともに回動するレバーと、前記レバーに回動自在に連結され、変倍レンズとともにスライドする変倍レンズ用スライドバーと、前記外歯歯車を挟んで前記変倍レンズ用スライドバーと反対側で前記レバーに回動自在に連結され、フォーカスレンズとともにスライドするフォーカスレンズ用スライドバーとを備える。
【０００９】
この構成により、レバーと変倍レンズ用スライドバーとフォーカスレンズ用スライドバーで構成される差動型のリンク機構を外歯歯車に連結したことで、形状記憶合金線のひずみをさらに拡大してレンズに伝達できる。また、レバーの中心から変倍レンズ用スライドバーおよびフォーカス用スライドバーまでの距離の寸法比を変えることにより、変倍レンズとフォーカスレンズの動作遷移を任意に変化させることができる。
【００１０】
また、本発明の別態様のレンズ移動装置は、駆動側部材の回動角を被駆動側部材へ増大して伝達する回動伝達機構と、前記回動伝達機構の前記駆動側部材に、線長の変化によって前記駆動側部材を回動させるように取り付けられた形状記憶合金線と、前記回動伝達機構の前記被駆動側部材の回動をレンズの移動に変換する変換機構とを備える。
【００１１】
この構成によっても、形状記憶合金線のひずみを拡大してレンズに伝えることができ、レンズ移動装置のコストを低減できる。この構成では、回動伝達機構は上記の内歯歯車および外歯歯車でもく、また他の構成でもよい。例えば、回動伝達機構の駆動側部材および被駆動側部材が共に外歯歯車でもよく、この場合は駆動側よりも被駆動側が小型の歯車で構成される。また、回動伝達機構は３つ以上の歯車で構成されてもよい。また、回動伝達機構はベルト等の他のタイプでもよい。
【００１２】
また、本発明の別態様のレンズ移動装置は、形状記憶合金線が線長の変化によって回動を生じさせるように取り付けられた回動機構と、前記回動機構とともに回動するレバーと、前記レバーに回動自在に連結され、レンズとともにスライドするスライドバーとを備える。
【００１３】
この構成によっても、形状記憶合金線のひずみを拡大してレンズに伝えることができ、レンズ移動装置のコストを低減できる。この構成では、回動機構は、上記の歯車機構を備えてもよいが、備えなくてもよい。例えば、回動機構は単なる円板でもよい。また、レバーの回動軸に形状記憶合金線が取り付けられてもよく、この場合はレバーが回動機構に相当する。また、この構成において、スライドバーは例えば上記の変倍レンズ用スライドバーおよびフォーカスレンズ用スライドバーであり、レバーの回動中心を挟んで両側に配置される。
【００１４】
また、本発明のカメラ装置は上述したレンズ移動装置を備える。この構成により、カメラ装置のコストを低減できる。
【発明の効果】
【００１５】
本発明は、内歯歯車に形状記憶合金線を巻き付けるとともに、内歯歯車と噛み合う外歯歯車の回動をレンズの移動に変換する機構を設けたことにより、形状記憶合金線のひずみを拡大してレンズに伝えることができ、したがって、形状記憶合金を線材のままの状態で使用でき、これにより加工コストを削減でき、また、形状記憶合金の使用量も低減でき、コストを低減できるという効果を有するレンズ移動装置を提供することができるものである。
【発明を実施するための最良の形態】
【００１６】
以下、本発明の実施の形態のレンズ移動装置について、図面を用いて説明する。
【００１７】
本発明の実施の形態のレンズ移動装置の平面図を図１に、分解図を図２に、斜視図を図３および図４に示す。
【００１８】
レンズ移動装置１００は、下鏡胴１と上鏡胴４１からなる鏡胴内に、固定レンズ付カメラ３と共に備えられて、カメラ装置を構成している。下鏡銅１と上鏡銅４１は半円筒であり、これらが組み合わされて、下鏡胴１に形成された雌ネジ部４６、４７、４８、４９に上鏡胴４１のボス部を介してネジ４２、４３、４４、４５が締め付けられている。これにより下鏡胴１と上鏡胴４１が固定され、円筒形の鏡銅が構成されている。固定レンズ付きカメラ２は、下鏡胴１の中央よりやや後方に設けられた固定部３に固定されている。
【００１９】
なお、以下の説明において、後方とは、鏡胴の撮影窓から遠い方をいい、前方とは撮影窓に近い方をいう。前後方向は光軸方向と一致している。また、前後方向と交差する方向を横方向といい、そして、カメラ後方から前方を見たときの右手を右方向、左手を左方向という。
【００２０】
レンズ移動装置１００は、概略的には、欠歯歯車８と、欠歯歯車８に巻き付けられた形状記憶合金線９と、欠歯歯車８と噛み合う小歯車１８と、小歯車１８に結合された変換機構で構成されている。変換機構は、切り替えレバー１９、変倍レンズ用スライドバー２１およびフォーカスレンズ用スライドバー３１で構成され、小歯車１８の回動をレンズの光軸方向の移動に変換する。欠歯歯車８および小歯車１８がそれぞれ内歯歯車および外歯歯車である。以下、レンズ移動装置１００の各構成を詳細に説明していく。
【００２１】
図５を参照すると、形状記憶合金線９は、内歯の欠歯歯車８の外形面に周方向に巻きつけられ、欠歯歯車８の外形面に設けた突起部１０により折り返されている。形状記憶合金線９の両先端には、割りピン１１、１２がカシメにより固定されており、割りピン１１、１２は下鏡胴１の穴部１３、１４に夫々圧入で固定されている。
【００２２】
ここで、形状記憶合金について説明すると、記憶熱処理された形状記憶合金は、低温で変形させても、高温にすると記憶された元の形に戻る性質を持っている。ただし、繰り返し利用できる曲げ方向、ねじり方向、長さ方向の運動ひずみは１％前後と小さい。そこで、通常は形状記憶合金の線材をコイルバネに成形して使用しており、これにより変形量を拡大している。これに対して、本実施の形態では、コイル成形品は使わず、線材状態のままの形状記憶合金線９が備えられている。
【００２３】
図１および図２に戻り、欠歯歯車８は、固定レンズ付カメラ２の後側に配置されている。欠歯歯車８は、下鏡胴１の固定部７に固定された欠歯歯車用シャフト６を中心に旋廻するように、欠歯歯車用シャフト６に止め輪１７を用いて取り付けられている。欠歯歯車８に形成した突起部５１と下鏡胴１に形成した突起部１６は、ねじりコイルバネ１５にて与圧されている。ねじりコイルばね１５は、欠歯歯車８の中央のボスに嵌められており、両端が突起部１５および突起部１６に掛けられており、図１で半時計回りに欠歯歯車８を付勢している。
【００２４】
形状記憶合金線９は、常温では、ねじりコイルバネ１５にの付勢力により、永久ひずみを起こさない範囲で延ばされている。また、図示されないが、形状記憶合金線９の両端の割りピン１１、１２は電源に接続されており、割りピン１１、１２の間には電圧が印加される。電圧は直流電圧でもよく、パルス電圧でもよい。直流電圧が加わると、電流によるジュール熱で形状記憶合金線９が加熱され、形状記憶合金線９は記憶された形状へもどり、短くなる。
【００２５】
下鏡胴１の固定部５に固定された小歯車用シャフト４は、欠歯歯車８の長穴部５０を突き抜けており、小歯車用シャフト４に小歯車１８が止め輪２０で旋廻可能に取り付けられており、欠歯歯車８と小歯車１８が噛み合っている。小歯車１８は図示のように外歯歯車であり、欠歯歯車８の歯部と中央のボスの間に収まる程度の小さなサイズを有している。
【００２６】
小歯車１８には切り替えレバー１９が固定されており、切り替えレバー１９は小歯車１８と共に小歯車用シャフト４を中心に旋廻する。本実施の形態では、小歯車１８と切り替えレバー１９が一体に構成され、これにより両者が固定されている。小歯車１８に切り替えレバー１９が取り付けられてもよい。
【００２７】
切り替えレバー１９は、回転中心である小歯車１８から横方向に両側に延びており、両端が鏡胴内壁の近傍に達している。切り替えレバー１９には、下記のように、小歯車１８を挟んで両側に変倍レンズ用スライドバー２１およびフォーカスレンズ用スライドバー３１が回動自在に取り付けられている。
【００２８】
変倍レンズ用スライドバー２１の後方の端部には、円板形状の結合板２７がネジ部で固定されており、結合板２７は横方向の長穴を有する。結合板２７が切り替えレバー１９の右側の端部と重ねられており、切り替えレバー１９の円形の穴と結合板２７の長穴に切替えレバー用ピン２８が通されており、切替えレバー用ピン２８の両端に止め輪２９、３０が取り付けられ、これにより、変倍レンズ用スライドバー２１は切替えレバーピン２８の中心に対して動作が自由になっている。
【００２９】
同様に、フォーカスレンズ用スライドバー３１の後方の端部には、円板形状の結合板３７がネジ部で固定されており、結合板３７は横方向の長穴を有する。結合板３７が、切り替えレバー１９の左側の端部と重ねられており、切り替えレバー１９の円形の穴と結合板３７の長穴に切替えレバー用ピン３８が通されており、切替えレバー用ピン３８の両端に止め輪３９、４０が取り付けられ、これにより、フォーカスレンズ用スライドバー３１は切替えレバーピン３８の中心に対して動作が自由になっている。
【００３０】
次に、変倍レンズ用スライドバー２１の構成を説明する。変倍レンズ用スライドバー２１は、右側の鏡胴内壁の付近で鏡胴内壁に沿って光軸方向に移動可能に配置されている。変倍レンズ用スライドバー２１は、下鏡胴１に設けた軸受け穴２２、２３に挿入されており、軸受け穴２２、２３内を直線的に摺動する。変倍レンズ用スライドバー２１には止め輪２５が取り付けられており、この止め輪２５が、軸受け穴２２の設けられた壁部に突き当たることで、変倍レンズ用スライドバー２１の摺動動作が規制される。すなわち、変倍レンズ用スライドバー２１の前方への可動範囲が止め輪２５の突当て構造で規定されている。
【００３１】
一方、フォーカスレンズ用スライドバー３１は、レンズを挟んで変倍レンズ用スライドバー２１と反対側に備えられており、その構成は変倍レンズ用スライドバー２１とほぼ同様である。フォーカスレンズ用スライドバー３１は、左側の鏡胴内壁の付近で鏡胴内壁に沿って光軸方向に移動可能に配置されている。フォーカスレンズ用スライドバー３１は、下鏡胴１に設けた軸受け穴３２、３３に挿入されており、軸受け穴３２、３３内を直線的に摺動する。フォーカスレンズ用スライドバー３１には止め輪３５が取り付けられており、この止め輪３５が、軸受け穴３２の設けられた壁部に突き当たることで、フォーカスレンズ用スライドバー３１の摺動動作が規制される。したがって、フォーカスレンズ用スライドバー３１の前方への可動範囲が止め輪３５の突当て構造で規定されている。
【００３２】
次にレンズの取付け部分の構成について説明する。レンズとしては変倍レンズ群２６とフォーカスレンズ群３６が設けられており、以下に説明するように、変倍レンズ群２６が変倍レンズ用スライドバー２１に取り付けられ、フォーカスレンズ群３６がフォーカスレンズ用スライドバー３１に取り付けられている。
【００３３】
変倍レンズ群２６は、下鏡胴１の前方に設けられた撮影窓に近い位置に配置されている。変倍レンズ群２６は、レンズを保持するカラーを有し、カラーからアームが両側に延びている。右側のアームの端部には円形の穴が設けられ、この穴に変倍レンズ用スライドバー２１が通され、アームが変倍レンズ用スライドバー２１の先端付近に止めネジ２４で固定されている。変倍レンズ群２６の左側のアームの端部には長穴５３が設けられており、この長穴５３にはフォーカスレンズ用スライドバー３１が摺動可能に通されている。
【００３４】
一方、フォーカスレンズ群３６は、変倍レンズ群２６よりも撮影窓から離れて配置されている。フォーカスレンズ群３６も変倍レンズ群２６と同様の構成を有しており、レンズを保持するカラーからアームが両側に延びている。そして、左側のアームの端部には円形の穴にフォーカスレンズ用スライドバー３１が通され、アームがフォーカスレンズ用スライドバー３１に止めネジ３４で固定されている。フォーカスレンズ群３６の右側のアームの端部には長穴５２が設けられており、この長穴５２には変倍レンズ用スライドバー２１が摺動可能に通されている。
【００３５】
図６は、レンズ移動装置１００が備えられるカメラ装置を例示している。カメラ装置１１０は、本実施の形態では監視カメラである。カメラ装置１１０は、樹脂製のハウジング１１２を有し、このハウジング１１２には透明な半球型のドーム１１４が備えられており、ドーム１１４内に、レンズ移動装置１００が、鏡胴およびカメラ部といった他の構成と共に配置されている。監視対象は、ドーム１１４を通し、そして、鏡胴先端の開口を通し、レンズ群を用いて撮影される。
【００３６】
以上のように構成されたレンズ移動機構について、図７を用いてその動作を説明する。図７は、図１の状態からレンズが移動したときのレンズ移動装置１００を示している。以下に説明するように、レンズ移動装置１００は、２焦点レンズとして機能する。
【００３７】
まず、図１では、形状記憶合金線９が常温状態にある。ねじりコイルバネ１５により欠歯歯車８が半時計回りに付勢されている。欠歯歯車８と噛みあう小歯車１８にも半時計回りの回転力が作用しており、切替えレバー１９にも同様の回転力が作用している。これにより、変倍レンズ用スライドバー２１は前方へ向かって押されており、同時にフォーカスレンズ用スライドバー３１が後方へ引かれている。変倍レンズ用スライドバー２１に取り付けられた止め輪２５が、軸受け穴２３が備えられた壁部に突き当たり、これにより動作が規制されている。そして、変倍レンズ用スライドバー２１およびフォーカスレンズ用スライドバー３１が位置決めされており、変倍レンズ群２６およびフォーカスレンズ群３６も位置決めされている。
【００３８】
図１の状態では、ねじりコイルばね１５により欠歯歯車８が半時計回りに付勢されており、これに伴い、形状記憶合金線９は、永久ひずみを起こさない範囲で延びている。この状態から、形状記憶合金線９の両端の割りピン１１、１２に電圧が加えられる。電圧は例えば直流電圧またはパルス電圧である。例えば、遠隔操作でフォーカスの切替えが指示されると、図示しないカメラ制御コンピュータにより電圧供給線のスイッチが閉じられ、電圧が加えられる。電圧が加わると、電流によるジュール熱が生じ、これにより形状記憶合金線９が加熱される。
【００３９】
図７は、形状記憶合金線９が加熱されたときのレンズ移動装置１００を示している。形状記憶合金線９は、加熱により、記憶された形状へ戻る。ここでは、形状記憶合金線９が縮み、欠歯歯車８の突起部１０を引き、これにより欠歯歯車８は時計方向に旋回する。
【００４０】
このとき、形状記憶合金線９のひずみは小さく、前述のように１％程度である。したがって、線長の変化も小さく、欠歯歯車８の回動方向の変位（旋回の移動量）も小さい。しかし、この微小な変位は小歯車１８で拡大される。すなわち、欠歯歯車８と小歯車１８のギア比に応じて欠歯歯車８の変位量が小歯車１８で拡大される。小歯車１８も欠歯歯車８と同じく時計回りに回動する。
【００４１】
そして、この拡大された変位が、切り替えレバー１９を介して変倍レンズ用スライドバー２１およびフォーカスレンズ用スライドバー３１に伝達される。切り替えレバー１９が小歯車１８と共に時計回りに旋回し、変倍レンズ用スライドバー２１が後方に引かれ、フォーカスレンズ用スライドバー３１が前方に押される。このとき、レバー長さと小歯車１８の径との比率に応じて小歯車１８の変位が拡大される。このようにレバーを設けた構成により、形状記憶合金線９の変位がさらに拡大されている。
【００４２】
切り替えレバー１９が時計回りに回ると、フォーカスレンズ用スライドバー３１に固定された止め輪３５が、軸受け穴３３が備えられた壁部に突き当たり、これにより動作が規制され、そして、フォーカスレンズ用スライドバー３１および変倍レンズ用スライドバー２１が位置決めされ、変倍レンズ群２６およびフォーカスレンズ群３６も位置決めされる。
【００４３】
次に、形状記憶合金線９への電流供給を停止すると、形状記憶合金線９の温度が下がり、形状記憶合金線９は再びねじりスプリング１５の付勢力で延び、欠歯歯車８および小歯車１８が半時計回りに回り、レンズ移動装置１００は図１の状態に戻る。
【００４４】
以上の動作において、図１と図７を比較すると、図７では、変倍レンズ群２６が後方に下がり、フォーカスレンズ群３６が前方に出ており、両者の間隔が狭まっている。図１が広角側の配置に相当し、図７が望遠側に相当する。このように、本実施の形態では２つのレンズ配置を切り替えることができる。変倍レンズ用スライドバー２１とフォーカスレンズ用スライドバー３１は差動式に動作しており、変倍レンズ群２６とフォーカスレンズ群３６は相対的に動作しており、２焦点レンズの機能を果たすことができている。
【００４５】
以上に説明したように、本発明の実施の形態のレンズ移動装置は、形状記憶合金線をコイルバネ形状に成形せず、永久変形を起こさないひずみ量の範囲内で線材としてそのまま使用している。そのために、形状記憶合金線自体が生じる変位量は小さい。しかし、本実施の形態では、形状記憶合金線の変位量を機構的に拡大しているので、レンズ移動装置として充分な変位量を持つことができる。高価な形状記憶合金の使用量を減らし、成形加工コストを低減することができ、これらによってレンズ移動装置のコストを低減できる。
【００４６】
なお、上記の実施の形態において、切り替えレバー１９の中心と変培レンズ用スライドバー側の距離と、切り替えレバー１９の中心とフォーカスレンズ用スライドバー３１側の距離の比率を変化させてもよい。この比率を変化させると、変倍レンズ群２６とフォーカスレンズ群３６の夫々の動作遷移を変化させることができる。
【００４７】
また、上記の実施の形態の変形例として、形状記憶合金線は、一端が歯車に取り付けられ、他端が鏡胴等に取り付けられてもよい。この例のように、形状記憶合金線の取付の構成は上記の実施の形態に限定されず、変形によって回動を起こすことができればよい。ただし、上記の実施の形態の構成、すなわち、形状記憶合金線を回動部材で折り返す構成は、両端に電流を供給することで形状記憶合金線を容易に加熱できる点で有利である。
【００４８】
また、上記の実施の形態の変形例として、欠歯歯車の代わりに、円形の歯車が備えられてもよい。ただし、欠歯歯車を使うことで、内歯歯車の占めるスペースを小さくでき、同じスペースでもより大きな内歯歯車を備えることが可能となり、形状記憶合金線の変形をより大きく拡大できる。
【００４９】
また、上記の実施の形態の変形例として、内歯歯車と外歯歯車の組合せの代わりに別のタイプの回動伝達機構が備えられてもよい。この回動伝達機構は、駆動側の回動を被駆動側で増大する機構であればよい。例えば、２つの外歯歯車が噛みあわされてもよく、この場合は、駆動側よりも被駆動側が小型の歯車で構成され、また、駆動側歯車には、例えば、周方向の溝が側面に設けられ、この溝に形状記憶合金線が巻き付けられる。また、回動伝達機構は中継歯車を含む３つ以上の歯車で構成されてもよい。また、回動伝達機構はベルト、チェーン等の他のタイプでもよい。
【００５０】
また、上記の実施の形態では、レバーおよびスライドバーがリンク機構を構成しており、本発明の変換機構として、形状記憶合金線のひずみに起因する回動をレンズの移動に変換している。これに対して、変換機構は、上述のようなレバーおよびスライドバーでなくてもよい。本発明の範囲内で変換機構は例えば他のリンク機構でもよく、また、ピニオンギアでもよく、回転運動をレンズの光軸方向の直線運動に変換できればよい。
【００５１】
さらに、上記の実施の形態の変形例として、内歯歯車と外歯歯車のような回動伝達機構が廃止されてもよい。一例としては、単なる円板が回動機構として設けられ、円板に形状記憶合金線が巻き付けられるとともに、切り替えレバーが一体に設けられる。形状記憶合金線は、切り替えレバーの回動軸に直接巻き付けられてもよく、この場合にはレバーそのものが回動機構である。このような構成では、回動伝達部分での変位拡大効果は得られないが、レバーを備えたリンク機構による変位拡大効果は得ることができる。同様の観点で、回動伝達機構が設けられているものの、回動の変位を増大しない構成であってもよい。
【００５２】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００５３】
以上のように、本発明にかかるレンズ移動装置は、形状記憶合金を備えながらも低コストに構成でき、カメラ撮影装置等のレンズ移動装置として有用である。
【図面の簡単な説明】
【００５４】
【図１】本発明の実施の形態におけるレンズ移動装置の平面図
【図２】本発明の実施の形態におけるレンズ移動装置の分解図
【図３】本発明の実施の形態におけるレンズ移動装置の斜視図
【図４】本発明の実施の形態におけるレンズ移動装置の斜視図
【図５】本発明の実施の形態における欠歯歯車部の詳細図
【図６】本発明の実施の形態におけるカメラ装置の斜視図
【図７】本発明の実施の形態におけるレンズ移動装置の平面図
【符号の説明】
【００５５】
１  下鏡胴
２  固定レンズ付カメラ部
８  欠歯歯車
９  形状記憶合金線
１５  ねじりコイルバネ
１８  小歯車
１９  切り替えレバー
２１  変倍レンズ用スライドバー
２６  変倍レンズ群
３１  フォーカスレンズ用スライドバー
３６  フォーカスレンズ群
４１  上鏡胴
【図１】
2005156892.tif 000003
【図２】
2005156892.tif 000004
【図３】
2005156892.tif 000005
【図４】
2005156892.tif 000006
【図５】
2005156892.tif 000007
【図６】
2005156892.tif 000008
【図７】
2005156892.tif 000009